(57)【要約】【課題】保守作業時における装置や媒体の損傷を防止し得るようにする。【解決手段】一時保留部１５は、ドラム２１を回転させる操作ノブ３１を左側面２０Ｌの外側に露出させ、その外側にノブカバー３２を配置した。一時保留部１５は、オープンガイド２５が閉塞状態にありドラム２１の上側が閉塞されているときには、スタッド３４を介してノブカバー３２を被覆状態として操作ノブ３１に対する操作を禁止し、紙幣の詰まり度合いを悪化させることを未然に防止できる。また一時保留部１５は、オープンガイド２５が閉塞状態から開方向Ｔ１へ回動されてドラム２１の上側が開放されると、スプリング３５の作用によりノブカバー３２を露出方向Ｕ１へ回動させて露出状態とすることにより、引き剥がされた紙幣ＢＬの逃げ道を確保した上で、操作ノブ３１の操作によるドラム２１の手動回転を許容することができる。【選択図】図６
2014123221.tif 000002
【特許請求の範囲】
【請求項１】
円筒形でなり周側面に紙葉状の媒体を巻き付けるドラムと、
上記ドラムの周囲を外部から遮蔽すると共に、上記媒体を外部へ取り出し得る開放孔が形成されたフレームと、
上記ドラムの周側面近傍において上記媒体を案内するガイドと、
上記ガイドにより上記開放孔を覆う閉塞状態と、上記開放孔を開放する開放状態との間で上記ガイドを遷移可能に支持する支持部と、
上記フレームの一側面に設けられ、外部から加えられる回転操作を上記ドラムに伝達する操作ノブと、
上記ガイドが閉塞状態にあるときには上記操作ノブを覆う被覆状態となる一方、上記ガイドが上記閉塞状態にないときには上記操作ノブを露出させた露出状態となるノブカバーと
を具えることを特徴とする媒体処理装置。
【請求項２】
上記フレームに対し上記ノブカバーを回動可能に支持するノブカバー回動軸
をさらに有することを特徴とする請求項１に記載の媒体処理装置。
【請求項３】
上記ノブカバーに対し、上記操作ノブを露出させる方向へ付勢する付勢部
をさらに具えることを特徴とする請求項２に記載の媒体処理装置。
【請求項４】
上記フレームは、
上記ドラムの上側に上記開放孔が形成され、
上記ガイドは、
上記閉塞状態にあるときに自重により上記ノブカバーを上記被覆状態に遷移させる
ことを特徴とする請求項３に記載の媒体処理装置。
【請求項５】
上記ノブカバー回動軸は、
上記フレームの上記操作ノブが設けられた一側面に対し略平行に上記ノブカバーを回動させる
ことを特徴とする請求項２に記載の媒体処理装置。
【請求項６】
上記ガイドは、
上記閉塞状態にあるときに上記ノブカバーと連動し、上記開放状態にあるときには上記ノブカバーとの連動を解除する
ことを特徴とする請求項１に記載の媒体処理装置。
【請求項７】
上記ガイドは、
上記閉塞状態において上記ドラムの周側面に巻き付けられた上記媒体の量に応じて上記フレームに対する位置を変位させ、
上記ノブカバーは、
上記ガイドが上記閉塞状態において上記ドラムの周側面に巻き付けられた上記媒体の量に応じて変位した場合にも上記操作ノブを覆う被覆状態を維持する
ことを特徴とする請求項１に記載の媒体処理装置。
【請求項８】
上記ノブカバーは、
上記ガイドに取り付けられている
ことを特徴とする請求項１に記載の媒体処理装置。
【請求項９】
紙葉状の媒体を搬送する搬送部と、
円筒形でなり周側面に媒体を巻き付けるドラムと、
上記ドラムの周囲を外部から遮蔽すると共に、上記媒体を外部へ取り出し得る開放孔が形成されたフレームと、
上記搬送部と上記ドラムの周側面近傍との間で上記媒体を案内するガイドと、
上記ガイドにより上記開放孔を覆う閉塞状態と、上記開放孔を開放する開放状態との間で上記ガイドを遷移可能に支持する支持部と、
上記フレームの一側面に設けられ、外部から加えられる回転操作を上記ドラムに伝達する操作ノブと、
上記ガイドが閉塞状態にあるときには上記操作ノブを覆う被覆状態となる一方、上記ガイドが上記閉塞状態にないときには上記操作ノブを露出させた露出状態となるノブカバーと
を具えることを特徴とする媒体取引装置。
【発明の詳細な説明】
【技術分野】
【０００１】
本発明は、媒体処理装置及び媒体取引装置に関し、例えば紙幣等の媒体を投入して所望の取引を行う現金自動預払機（ＡＴＭ）等に適用して好適なものである。
【背景技術】
【０００２】
従来、金融機関等で使用される現金自動預払機等においては、顧客との取引内容に応じて、例えば顧客に紙幣や硬貨等の現金を入金させ、また顧客へ現金を出金するようになされている。
【０００３】
現金自動預払機としては、例えば顧客との間で紙幣の授受を行う紙幣入出金口と、投入された紙幣の金種及び真偽を鑑別する鑑別部と、投入された紙幣を一時的に保留する一時保留部と、金種ごとに紙幣を格納する紙幣カセットとを有するものが提案されている。
【０００４】
この現金自動預払機は、入金取引において、顧客が紙幣入出金口に紙幣を投入すると、投入された紙幣を鑑別部で鑑別し、正常紙幣と鑑別された紙幣を一時保留部へ収納する一方、取引すべきでないと鑑別された紙幣を紙幣入出金口へ戻して顧客に返却する。続いて現金自動預払機は、顧客により入金金額が確定されると、一時保留部に収納している紙幣を繰り出してその金種を鑑別部により再鑑別し、鑑別された金種に応じて各紙幣カセットへ収納する。
【０００５】
一時保留部としては、例えば回転する円筒状のドラムと、当該ドラムの周側面に一端が重ねて固定された２本の長いテープと、各テープが巻回される２個のリールと、ドラムやリール等を回転させるモータとを有するものがある。
【０００６】
この一時保留部は、紙幣を収納する際、搬送部から紙幣が受け渡されると、２本のテープの間に紙幣を挟み込み、モータによってドラムを所定の巻取方向へ回転させることにより、２本のテープと共に紙幣を当該ドラムの周側面に巻き付けていく。
【０００７】
また一時保留部は、収納している紙幣を繰り出す際、各リールを回転させて各テープをそれぞれ巻き取ると共に、モータによってドラムを巻取方向と反対の巻戻方向へ回転させることにより、ドラムの周側面から紙幣を引き剥がして搬送部へ受け渡していく。
【０００８】
さらに一時保留部のなかには、外側面等に保守作業用の操作ノブが設けられているものがある（例えば、特許文献１参照）。この操作ノブは、ドラムと連動するようになされており、保守作業時等に作業者によって回転されると、ドラムを手動で回転させ得るようになされている。
【先行技術文献】
【特許文献】
【０００９】
【特許文献１】特開２０１１−１３４２２２公報
【発明の概要】
【発明が解決しようとする課題】
【００１０】
ところで一時保留部は、ドラムと周囲の部品等の間や、内部で紙幣を搬送する搬送経路等において、紙幣が周囲の部品に引っ掛かる等して詰まりを発生させることがある。
【００１１】
一時保留部は、このような状態で操作ノブが回転されると、ドラムを回転させることにより、詰まりが発生している箇所に新たな紙幣を送り込んでしまい、詰まりの度合いを悪化させ、或いはテープも巻き込んで詰まらせてしまい、紙幣や各部品等を損傷させてしまう恐れがある、という問題があった。
【００１２】
本発明は以上の点を考慮してなされたもので、保守作業時における装置や媒体の損傷を防止し得る媒体処理装置及び媒体取引装置を提案しようとするものである。
【課題を解決するための手段】
【００１３】
かかる課題を解決するため本発明の媒体処理装置においては、円筒形でなり周側面に紙葉状の媒体を巻き付けるドラムと、ドラムの周囲を外部から遮蔽すると共に、媒体を外部へ取り出し得る開放孔が形成されたフレームと、ドラムの周側面近傍において媒体を案内するガイドと、ガイドにより開放孔を覆う閉塞状態と、開放孔を開放する開放状態との間でガイドを遷移可能に支持する支持部と、フレームの一側面に設けられ、外部から加えられる回転操作をドラムに伝達する操作ノブと、ガイドが閉塞状態にあるときには操作ノブを覆う被覆状態となる一方、ガイドが閉塞状態にないときには操作ノブを露出させた露出状態となるノブカバーとを設けるようにした。
【００１４】
これにより、ガイドが閉塞状態にあり開放孔が閉塞されているときには、ノブカバーにより操作ノブを覆って当該操作ノブに対する操作を抑制してドラムの手動回転を禁止できるので、媒体を開放孔から取り出せずに詰まりの度合いを悪化させることを未然に防止できる。
【００１５】
また本発明の媒体取引装置においては、紙葉状の媒体を搬送する搬送部と、円筒形でなり周側面に媒体を巻き付けるドラムと、ドラムの周囲を外部から遮蔽すると共に、一部に外部へ開放された開放孔が形成されたフレームと、搬送部とドラムの周側面近傍との間で媒体を案内するガイドと、ガイドにより開放孔を覆う閉塞状態と、開放孔を開放する開放状態との間でガイドを遷移可能に支持する支持部と、フレームの一側面に設けられ、外部から加えられる回転操作をドラムに伝達する操作ノブと、ガイドが閉塞状態にあるときには操作ノブを覆う被覆状態となる一方、ガイドが閉塞状態にないときには操作ノブを露出させた露出状態となるノブカバーとを設けるようにした。
【００１６】
これにより、ガイドが閉塞状態にあり開放孔が閉塞されているときには、ノブカバーにより操作ノブを覆って当該操作ノブに対する操作を抑制してドラムの手動回転を禁止できるので、媒体を開放孔から取り出せずに詰まりの度合いを悪化させることを未然に防止できる。
【発明の効果】
【００１７】
本発明によれば、ガイドが閉塞状態にあり開放孔が閉塞されているときには、ノブカバーにより操作ノブを覆って当該操作ノブに対する操作を抑制してドラムの手動回転を禁止できるので、媒体を開放孔から取り出せずに詰まりの度合いを悪化させることを未然に防止できる。かくして本発明は、保守作業時における装置や媒体の損傷を防止し得る媒体処理装置及び媒体取引装置を実現できる。
【図面の簡単な説明】
【００１８】
【図１】現金自動預払機の外観構成を示す略線的斜視図である。
【図２】紙幣入出金機の構成を示す略線図である。
【図３】第１の実施の形態による一時保留部の構成を示す略線的斜視図である。
【図４】一時保留部の内部構成を示す略線図である。
【図５】オープンガイドの開放を示す略線図である。
【図６】第１の実施の形態による被覆状態を示す略線図である。
【図７】第１の実施の形態による露出状態を示す略線図である。
【図８】一時保留部における紙幣の詰まりを示す略線図である。
【図９】ドラム外径の変化によるノブカバーの回動を示す略線図である。
【図１０】第２の実施の形態における一時保留部の構成を示す略線的斜視図である。
【図１１】第２の実施の形態による被覆状態を示す略線図である。
【図１２】第２の実施の形態による露出状態を示す略線図である。
【発明を実施するための形態】
【００１９】
以下、発明を実施するための形態（以下実施の形態とする）について、図面を用いて説明する。
【００２０】
［１．第１の実施の形態］
［１−１．現金自動預払機の全体構成］
図１に外観を示すように、現金自動預払機１は、箱状の筐体２を中心に構成されており、例えば金融機関等に設置され、顧客との間で入金取引や出金取引等の現金に関する取引を行うようになされている。
【００２１】
筐体２は、その前側に顧客が対峙した状態で紙幣の投入やタッチパネルによる操作等をしやすい箇所、すなわち前面の上部から上面に渡る部分が斜めに切り落とされたような形状となっており、この部分に接客部３が設けられている。
【００２２】
接客部３は、筐体２の前上側部分に設けられており、顧客との間で現金や通帳等を直接やり取りすると共に、取引に関する情報の通知や操作指示の受付を行うようになされている。
【００２３】
接客部３は、正面を向くようにカード入出口４及び通帳入出口５が設けられると共に、上方を向くように紙幣入出金口６、硬貨入出金口７及び表示操作部８が設けられている。
【００２４】
カード入出口４は、キャッシュカード等の各種カードが挿入又は排出される部分である。カード入出口４の奥側には、各種カードに磁気記録された口座番号等の読み取りを行うカード処理部が設けられている。
【００２５】
通帳入出口５は、通帳が挿入または排出される部分である。通帳入出口５の奥側には、通帳に記録された磁気情報の読み取りや取引内容の印字処理等を行う通帳処理部が設けられている。
【００２６】
紙幣入出金口６は、顧客が入金する紙幣が投入されると共に、顧客へ出金する紙幣が排出される部分である。また紙幣入出金口６は、シャッタを駆動することにより開放又は閉塞するようになされている。
【００２７】
硬貨入出金口７は、顧客が入金する硬貨が投入されると共に、顧客へ出金する硬貨が排出される部分である。また硬貨入出金口７は、紙幣入出金口６と同様にシャッタを駆動することにより開放又は閉塞するようになされている。
【００２８】
表示操作部８は、取引に際して操作画面を表示するＬＣＤ（Liquid Crystal Display）と、取引の種類の選択、暗証番号や取引金額等を入力するタッチセンサとが一体化されたタッチパネルとなっている。
【００２９】
以下では、現金自動預払機１のうち顧客が対峙する側を前側とし、その反対を後側とし、当該前側に対峙した顧客から見て左及び右をそれぞれ左側及び右側とし、さらに上側及び下側を定義して説明する。
【００３０】
筐体２内には、現金自動預払機１全体を統括制御する主制御部９や、紙幣に関する種々の処理を行う紙幣入出金機１０等が設けられている。
【００３１】
主制御部９は、図示しないＣＰＵ（Central Processing Unit）を中心に構成されており、図示しないＲＯＭやフラッシュメモリ等から所定のプログラムを読み出して実行することにより、入金取引や出金取引等の種々の処理を行うようになされている。
【００３２】
また主制御部９は、内部にＲＡＭ（Random Access Memory）、ハードディスクドライブやフラッシュメモリ等でなる記憶部を有しており、この記憶部に種々の情報を記憶させるようになされている。
【００３３】
因みに筐体２は、前面側やその後面側等の一部の側面が開閉可能な扉により構成されている。すなわち筐体２は、顧客との間で現金に関する取引を行う取引動作時には、図１に示したように各扉を閉塞することにより、紙幣入出金機１０内に収納している紙幣を保護する。一方筐体２は、作業者等が保守作業を行う保守作業時には、必要に応じて各扉を開放することにより、内部の各部に対する作業を容易に行わせ得るようになされている。
【００３４】
紙幣入出金機１０は、図２に側面図を示すように、大きく分けて上側の上側ユニット１０Ａと下側の下側ユニット１０Ｂとにより構成されており、それぞれの内部に紙幣に関する種々の処理を行う複数の部分が組み込まれている。また紙幣入出金機１０の各部分は、紙幣制御部１１により制御されるようになされている。
【００３５】
紙幣制御部１１は、主制御部９と同様、図示しないＣＰＵを中心に構成されており、図示しないＲＯＭやフラッシュメモリ等から所定のプログラムを読み出して実行することにより、紙幣の搬送先を決定する処理等、種々の処理を行うようになされている。
【００３６】
また紙幣制御部１１は、内部にＲＡＭ及びフラッシュメモリ等でなる記憶部を有しており、この記憶部に種々の情報を記憶させるようになされている。
【００３７】
紙幣制御部１１は、例えば顧客が紙幣を入金する入金取引を行う場合、表示操作部８を介して所定の操作入力を受け付けた後、紙幣入出金口６のシャッタを開いて入出金部１２内へ紙幣を投入させる。
【００３８】
入出金部１２は、収容器１２Ａに紙幣が投入されると、紙幣入出金口６のシャッタを閉じて当該収容器１２Ａから紙幣を１枚ずつ取り出し、搬送部１３へ受け渡す。搬送部１３は、長方形の紙葉状に構成された紙幣を短辺方向に沿って進行させ、鑑別部１４へ搬送する。
【００３９】
鑑別部１４は、その内部で紙幣を搬送しながら、光学素子や磁気検出素子等を用いて当該紙幣の金種及び真偽、並びに損傷の程度等を鑑別し、その鑑別結果を紙幣制御部１１へ通知する。これに応じて紙幣制御部１１は、取得した鑑別結果に基づいて当該紙幣の搬送先を決定する。
【００４０】
このとき搬送部１３は、鑑別部１４において正常紙幣と鑑別された紙幣を一時保留部１５へ搬送する等して一時的に保留させる一方、取引すべきでないと鑑別されたリジェクト紙幣を入出金部１２へ搬送して顧客に返却する。
【００４１】
その後紙幣制御部１１は、表示操作部８を介して顧客に入金金額を確定させ、一時保留部１５に保留している紙幣を搬送部１３により鑑別部１４へ搬送してその金種及び損傷の程度等を鑑別させ、その鑑別結果を取得する。
【００４２】
そして紙幣制御部１１は、紙幣の損傷の程度が大きければ、これを再利用すべきでない紙幣として搬送部１３によりリジェクトカセット１６へ搬送して収納させ、損傷の程度が小さければ、これを再利用すべき紙幣として搬送部１３により搬送させ、その金種に応じた紙幣カセット１７に収納させるようになされている。
【００４３】
また紙幣入出金機１０は、保守作業等の際、例えば筐体２（図１）の後扉が開放されると、上側ユニット１０Ａ及び下側ユニット１０Ｂをそれぞれ後方向へスライドさせ得るようになされている。因みに図２では、上側ユニット１０Ａを後方向へスライドさせた状態を破線で示している。
【００４４】
［１−２．一時保留部の構成］
一時保留部１５は、図３に示すように、フレーム２０により外側が覆われており、その内部に各部品が取り付けられた構成となっている。
【００４５】
フレーム２０の上面は、ほぼ全域に渡る大きな孔部２０Ｈが形成されており、この孔部２０Ｈを介してフレーム２０内の内部空間と外部空間とを連通させている。
【００４６】
一時保留部１５のフレーム２０内には、図４に示すように、中央付近に中心軸を左右方向に向けた円筒状のドラム２１が設けられている。因みに図４は、一時保留部１５の左側面図を表しているものの、説明の都合上、一部の部品を透過させており、また一部の部品を省略している。
【００４７】
ドラム２１は、左右方向に沿った回転軸２１Ｘを中心に巻取方向Ｒ１又は巻戻方向Ｒ２へ回転し得るように取り付けられると共に、図示しないモータからの駆動力が図示しないギア等を介して伝達されるようになされている。
【００４８】
一時保留部１５の内部には、孔部２０Ｈを塞ぐと共に前側下方から中央のドラム２１の上側へかけて紙幣の搬送路Ｗを形成する搬送ガイド２２が設けられている。この搬送ガイド２２は、前側下方に設けられた回動軸２３を中心として、開方向Ｓ１又は閉方向Ｓ２へ回動し得るようになされている。
【００４９】
また搬送ガイド２２は、搬送路Ｗの上側部分を構成するオープンガイドフレーム２４及びオープンガイド２５と、当該搬送路Ｗの下側部分を構成する受渡ガイド２８とにより構成されている。因みにオープンガイドフレーム２４及び受渡ガイド２８は、連結部材２９により互いの間に搬送路Ｗを形成するように固定されている。
【００５０】
オープンガイドフレーム２４は、中央部分が平坦に形成される一方、前側端部及び後側端部が下方へ湾曲された形状となっている。またオープンガイドフレーム２４のうちドラム２１の上側に相当する部分には、上下に貫通する大きな孔部２４Ｈが中央に穿設されており、周囲に枠状の部分を残したような形状となっている。
【００５１】
さらにオープンガイドフレーム２４の下面側には、自在に回転するローラ２６の他、搬送路Ｗに沿って紙幣を搬送するための複数のローラ（図示せず）が設けられている。因みに一部のローラには、図示しないモータからの駆動力が伝達されるようになされている。またこれらのローラは、ドラム２１とは独立に駆動されるようになされている。
【００５２】
オープンガイド２５は、全体として板状に構成されており、前半部分が平坦に形成される一方、後半部分が下方へ向けて湾曲されている。
【００５３】
またオープンガイド２５は、オープンガイドフレーム２４の上側に、孔部２４Ｈを塞ぐように重ねられており、当該オープンガイドフレーム２４に対し、前端付近に設けられた回動軸２７を介して取り付けられている。
【００５４】
回動軸２７は、オープンガイドフレーム２４に対しオープンガイド２５を開方向Ｔ１又は閉方向Ｔ２へ回動させ得るようになされている。
【００５５】
オープンガイド２５は、何ら外力が加えられない場合、自重により閉方向Ｔ２へ回動し、図４に示したように、ドラム２１の真上に位置することにより、ドラム２１の真上及び孔部２４Ｈを閉塞する。以下これを閉塞状態と呼ぶ。
【００５６】
一方オープンガイド２５は、保守作業等の際に上方向へ向けて外力が加えられると、開方向Ｔ１へ回動し、図４と対応する図５に示すように、ドラム２１の真上及びオープンガイドフレーム２４の孔部２４Ｈを開放する。以下これを開放状態と呼ぶ。
【００５７】
受渡ガイド２８（図４）は、オープンガイドフレーム２４よりも前後方向に短く形成されており、当該オープンガイドフレーム２４の前側部分の下方に位置している。受渡ガイド２８の上面は、上に凸の曲面となるよう湾曲されており、搬送路Ｗに沿って紙幣を搬送するための複数のローラ（図示せず）が設けられている。
【００５８】
さらに一時保留部１５内には、図示しない２本の細長いテープが設けられている。これらの２本のテープは、図示しないリールに巻回されており、所定のテープ走行路を通るように引き回され、搬送路Ｗの上下からドラム２１及びローラ２６の間に到達した後、互いの先端部分が当該ドラム２１の周側面に重なるように固定されている。
【００５９】
搬送ガイド２２は、重力の作用により閉方向Ｓ２へ付勢されて回動軸２３を中心に回動し、ローラ２６をドラム２１の周側面に当接させた状態となる。これにより搬送ガイド２２は、ドラム２１が紙幣を周側面に巻き付けて見かけ上の外径が変化した場合にも、搬送路Ｗの後端を常に当該ドラム２１の周側面に位置させ得るようになされている。
【００６０】
かかる構成により一時保留部１５は、紙幣を収納する際、ドラム２１を巻取方向Ｒ１へ回転させると共に、搬送部１３（図２）から受け渡される紙幣を搬送路Ｗに沿ってドラム２１の上側まで搬送し、当該紙幣を２本のテープ（図示せず）の間に挟み込み、そのままドラム２１の周側面に巻き付けていく。
【００６１】
また一時保留部１５は、紙幣を繰り出す際、ドラム２１を巻戻方向Ｒ２へ回転させると共に２本のテープをリール（図示せず）に巻き取り、当該ドラム２１の周側面に巻き付けられている紙幣を引き剥がして、搬送路Ｗに沿って前方へ搬送した後、搬送部１３（図２）へ受け渡す。
【００６２】
かかる構成に加えて一時保留部１５の左側面２０Ｌ（図３）には、円板状に構成された操作ノブ３１が外側に露出するように設けられている。操作ノブ３１は、ドラム２１と連動しており、保守作業等の際に作業員に手動で回転されると、その力をドラム２１に伝達して当該ドラム２１を回転させるようになされている。
【００６３】
また一時保留部１５の左側面には、操作ノブ３１よりも左側（すなわち外側）に、当該操作ノブ３１を覆うノブカバー３２が設けられている。
【００６４】
ノブカバー３２は、全体として左右方向に薄い板状に形成されており、三角形状に形成されたカバー部３２Ａと、当該カバー部３２Ａにおける上側の頂点部分から上方へ細長く延長されたアーム部３２Ｂとにより構成されている。
【００６５】
カバー部３２Ａは、操作ノブ３１の左側を完全に覆う程度に大きく形成されている。またアーム部３２Ｂには、中ほどに右方向へ向けて小さな円柱状のノブカバー回動軸３３が立設され、また上端近傍に小さな円柱状のスタッド３４が右方向へ向けて立設されている。
【００６６】
ノブカバー回動軸３３は、フレーム２０の左側面２０Ｌに対し、ノブカバー３２を左側から見て時計回りとなる露出方向Ｕ１又はその反対の被覆方向Ｕ２へ回動させ得るようになされている。またノブカバー３２は、スプリング３５により露出方向Ｕ１へ付勢されている。
【００６７】
スタッド３４は、フレーム２０の左側面２０Ｌに穿設された孔部２０ＬＨを貫通して当該フレーム２０の内部空間に到達しており、図６に示すように、その上側部分においてオープンガイド２５の下面と当接している。
【００６８】
すなわちノブカバー３２は、スプリング３５により露出方向Ｕ１へ付勢されているものの、スタッド３４をオープンガイド２５に当接させることにより露出方向Ｕ１への回動が抑制され、カバー部３２Ａにより操作ノブ３１を覆った状態となる。以下この状態を被覆状態と呼ぶ。
【００６９】
一方ノブカバー３２は、保守作業等の際にオープンガイド２５に対し上方向へ向けて外力が加えられて閉塞状態から開方向Ｔ１へ回動されると、当該オープンガイド２５がスタッド３４から引き離され、スタッド３４に対する抑制が解消される。
【００７０】
これによりノブカバー３２は、スプリング３５の付勢力により露出方向Ｕ１へ回動し、図６と対応する図７に示すように、操作ノブ３１を露出させた状態となる。以下この状態を露出状態と呼ぶ。
【００７１】
このようにノブカバー３２は、オープンガイド２５の回動に伴って露出方向Ｕ１又は被覆方向Ｕ２へ回動することにより、操作ノブ３１を露出させ、又は被覆するようになされている。
【００７２】
［１−３．動作及び効果］
以上の構成において、第１の実施の形態による一時保留部１５は、ドラム２１の上側を覆う搬送ガイド２２のオープンガイドフレーム２４に対し、回動軸２７を中心にオープンガイド２５を回動させ得るようにした。
【００７３】
また一時保留部１５は、フレーム２０における左側面２０Ｌの外側に、ドラム２１を回転させる操作ノブ３１を露出させ、その外側をノブカバー３２により覆うようにした。
【００７４】
このノブカバー３２は、フレーム２０の左側面２０Ｌに対しノブカバー回動軸３３を中心として回動可能に取り付けられ、スプリング３５により露出方向Ｕ１へ付勢され、またスタッド３４をフレーム２０の内部へ突出させるようにした。
【００７５】
かかる構成により一時保留部１５は、閉塞状態（図４）において、オープンガイド２５の下面によってスタッド３４の上方向への動きを規制することにより、ノブカバー３２を被覆状態に保つ（図６）。
【００７６】
一時保留部１５は、例えば図８に示すように、紙幣ＢＬが搬送路Ｗやドラム２１と受渡ガイド２８との間等に詰まることがある。このような場合、一時保留部１５では、保守作業として保守作業者等により詰まった紙幣ＢＬを取り出す作業が行われる。
【００７７】
この保守作業において、ドラム２１の周側面に紙幣ＢＬが巻き付けられている場合、保守作業者が操作ノブ３１を回転させてドラム２１を巻戻方向Ｒ２へ回転させることにより、紙幣ＢＬを周側面から引き剥すことが考えられる。
【００７８】
しかしながらこの場合、オープンガイド２５がドラム２１の上側部分を閉塞しているため、ドラム２１の周側面から引き剥された紙幣ＢＬが当該ドラム２１の上側部分において次々と詰まってしまい、状況を悪化させてしまう危険性がある。またこの場合、図示しないテープを紙幣ＢＬと共に詰まらせてしまい、或いは絡ませてしまう危険性もある。
【００７９】
この点において一時保留部１５では、オープンガイド２５が閉塞状態にあるときは、ノブカバー３２を被覆状態に保つことにより（図６）、操作ノブ３１に対する保守作業者等の操作を抑制し、ドラム２１の手動回転を禁止することができる。
【００８０】
一方、一時保留部１５は、保守作業者によりオープンガイド２５が閉塞状態から開方向Ｔ１へ回動されると（図５）、スタッド３４の上方向への動きを許容することになり、スプリング３５の作用によりノブカバー３２を露出方向Ｕ１へ回動させて露出状態とする（図７）。これにより一時保留部１５は、保守作業者に対し操作ノブ３１を操作させること、すなわちドラム２１の手動回転を許容することになる。
【００８１】
このとき一時保留部１５は、オープンガイド２５が閉塞状態ではなくドラム２１の上側が開放されている。このため一時保留部１５では、保守作業者が操作ノブ３１を回転させてドラム２１を巻戻方向Ｒ２へ回転させたときに、ドラム２１の周側面から引き剥がされた紙幣ＢＬをオープンガイドフレーム２４の孔部２４Ｈから上方へ逃がすことができ、詰まりの度合いを悪化させる恐れが無い。
【００８２】
特に一時保留部１５は、フレーム２０の内部において操作ノブ３１とドラム２１との連動機構等に作用するのではなく、ノブカバー３２により被覆状態において操作ノブ３１を左側から覆うことにより、当該操作ノブ３１に対する操作を抑制するようにした。
【００８３】
このため一時保留部１５は、保守作業者に対し、操作ノブ３１に対する操作ができないことを視覚的に容易に認識させることができるので、被覆状態（図６）において当該操作ノブ３１に対する無理な操作を有効に阻止することができる。
【００８４】
また一時保留部１５は、オープンガイド２５が閉塞状態から開方向Ｔ１へ回動されると、スプリング３５の作用により、ノブカバー３２を自動的に露出方向Ｕ１へ回動させて露出状態に遷移させるようにした（図７）。
【００８５】
これにより一時保留部１５は、保守作業者に対し、オープンガイド２５を持ち上げて開方向Ｔ１へ回動させる操作のみを行わせるだけで良く、ノブカバー３２については何ら操作させることなく、操作ノブ３１に対する操作を許容することができる。
【００８６】
このとき一時保留部１５は、ノブカバー回動軸３３からスタッド３４までの距離等に起因して、オープンガイド２５が完全に開放状態に遷移されなくとも、閉塞状態からある程度開方向Ｔ１へ回動された段階で、ノブカバー３２を露出状態に遷移させることができる。
【００８７】
特に一時保留部１５は、現金自動預払機１が設置されている環境や保守作業における他の部分との兼ね合い等により、オープンガイド２５を開放状態にまで十分に回動できない状況があり得る。
【００８８】
しかしながら一時保留部１５は、このような状況であったとしても、オープンガイド２５が閉塞状態からある程度持ち上げられ、ドラム２１の上側においてオープンガイドフレーム２４の孔部２４Ｈがある程度開かれたことにより紙幣ＢＬの逃げ道が確保されていれば、ノブカバー３２を露出状態として操作ノブ３１に対する操作を許容できる。
【００８９】
また一時保留部１５は、オープンガイド２５が閉塞状態に遷移されると、スタッド３４を押し下げることにより、ノブカバー３２を自動的に被覆方向Ｕ２へ回動させて被覆状態に遷移させるようにした（図６）。
【００９０】
特に一時保留部１５は、上側ユニット１０Ａ（図２）が後方へ引き出された状態から筐体２（図１）内へ収納される場合、オープンガイド２５が開放状態にあると筐体２（図１）や他の部品等と干渉するため、閉塞状態に遷移させる必要がある。
【００９１】
このため一時保留部１５は、現金自動預払機１が運用される際には、オープンガイド２５が必ず閉塞状態に戻されることに伴い、ノブカバー３２を必ず被覆状態（図６）に戻すことができる。
【００９２】
これにより一時保留部１５は、次回の保守作業において上側ユニット１０Ａ（図２）が後方へ引き出された際に、ノブカバー３２を必ず被覆状態とすることができ、オープンガイド２５が開方向Ｔ１へ回動されるまで、操作ノブ３１に対する操作を確実に禁止することができる。
【００９３】
さらに一時保留部１５は、フレーム２０の左側面２０Ｌに対し、回動軸を左右方向に向けたノブカバー回動軸３３によりノブカバー３２を回動可能に支持するようにした。
【００９４】
このため一時保留部１５は、ノブカバー３２が被覆状態、露出状態又はその中間の状態のいずれであるときにも、カバー部３２Ａをフレーム２０の左側面２０Ｌの近傍に、当該左側面２０Ｌとほぼ平行に保つことができる。このため一時保留部１５は、左側面２０Ｌからのノブカバー３２の突出量を常に小さく抑えることができ、他の部品等との干渉を回避し、保守作業における作業空間を有効に確保することができる。
【００９５】
また一時保留部１５は、ドラム２１の周側面に紙幣ＢＬを巻き付けていくと、見かけ上の外径が増加していく。これに伴って搬送ガイド２２は、図６と対応する図９に示すように、回動軸２３を中心として開方向Ｓ１へ回動する。
【００９６】
このときノブカバー３２は、搬送ガイド２２の回動に伴ってオープンガイド２５が上方向へ僅かに回動することに伴い、露出方向Ｕ１へ僅かに回動することになる。しかしながらノブカバー３２は、操作ノブ３１と比較してカバー部３２Ａ（図３）を大きく形成しているため、当該操作ノブ３１を覆い続けることができる。
【００９７】
さらに一時保留部１５は、従来の構成と比較して、ノブカバー３２、ノブカバー回動軸３３及びスタッド３４を増設すると共にフレーム２０の左側面２０Ｌに孔部２０ＬＨを穿設するといった、僅かな部品の追加及び軽微な変更をするだけで済む。
【００９８】
すなわち一時保留部１５は、従来の一時保留部を構成する各部品をほとんどそのまま使用することができるので、新たな設計の手間を最小限に止め、また部品点数の増加に伴う製造や保守のコストも極めて低廉に抑えることができる。
【００９９】
以上の構成によれば、第１の実施の形態による一時保留部１５は、ドラム２１を回転させる操作ノブ３１を左側面２０Ｌの外側に露出させ、その外側にノブカバー３２を配置した。一時保留部１５は、オープンガイド２５が閉塞状態にありドラム２１の上側が閉塞されているときには、スタッド３４を介してノブカバー３２を被覆状態として操作ノブ３１に対する操作を禁止し、紙幣の詰まり度合いを悪化させることを未然に防止できる。また一時保留部１５は、オープンガイド２５が閉塞状態から開方向Ｔ１へ回動されてドラム２１の上側が開放されると、スプリング３５の作用によりノブカバー３２を露出方向Ｕ１へ回動させて露出状態とすることにより、引き剥がされた紙幣ＢＬの逃げ道を確保した上で、操作ノブ３１の操作によるドラム２１の手動回転を許容することができる。
【０１００】
［２．第２の実施の形態］
第２の実施の形態による現金自動預払機１０１（図１）は、第１の実施の形態による現金自動預払機１と比較して、紙幣入出金機１０に代わる紙幣入出金機１１０を有する点が相違するものの、他の部分については同様に構成されている。
【０１０１】
紙幣入出金機１１０（図２）は、第１の実施の形態による紙幣入出金機１０と比較して、一時保留部１５に代わる一時保留部１１５を有する点が相違するものの、他の部分については同様に構成されている。
【０１０２】
［２−１．一時保留部の構成］
一時保留部１１５は、図３と対応する図１０に示すように、フレーム２０に代わるフレーム１２０により外側が覆われており、その内部に各部品が取り付けられた構成となっている。
【０１０３】
フレーム１２０は、全体的にフレーム２０と類似した構成となっているものの、左側面１２０Ｌの上側に台形状に切り欠かれた切欠部１２０ＬＸが形成されている点が相違している。
【０１０４】
また一時保留部１１５は、第１の実施の形態による一時保留部１５と比較して、ノブカバー３２、ノブカバー回動軸３３及びスタッド３４に代わるノブカバー１３２を有する点が相違しているものの、他の部分については同様に構成されている。
【０１０５】
ノブカバー１３２は、薄板状の部材によって構成されており、オープンガイド２５の左側面から左方向へ向けてほぼ水平に延設された支持部１３２Ｂと、操作ノブ３１よりも左側となる箇所から下方向へ延設されたカバー部１３２Ａとにより構成されている。
【０１０６】
すなわちノブカバー１３２は、図６と対応する図１１に示すように、オープンガイド２５が閉塞状態にあるとき、カバー部１３２Ａにより操作ノブ３１を左側から完全に覆った状態となる。以下、この状態をこの実施の形態における被覆状態と呼ぶ。
【０１０７】
一方、オープンガイド２５が閉塞状態から開方向Ｔ１へ回動されると、ノブカバー１３２は、回動軸２７を中心として当該オープンガイド２５と一体に回動することにより、上方向へ持ち上げられる。
【０１０８】
このときノブカバー１３２は、図７と対応する図１２に示すように、カバー部１３２Ａを操作ノブ３１の左側から完全に退避させて露出させた状態となる。以下、この状態をこの実施の形態における露出状態と呼ぶ。
【０１０９】
このように一時保留部１１５は、オープンガイド２５にノブカバー１３２を取り付けたことにより、当該オープンガイド２５の開閉に伴い、操作ノブ３１を覆う被覆状態と当該操作ノブ３１を露出させる露出状態とを切り替えるようになされている。
【０１１０】
［２−２．動作及び効果］
以上の構成において、第２の実施の形態による一時保留部１１５は、第１の実施の形態と同様、ドラム２１の上側を覆う搬送ガイド２２のオープンガイドフレーム２４に対し、回動軸２７を中心にオープンガイド２５を回動させ得るようにした。
【０１１１】
また一時保留部１１５は、フレーム２０における左側面２０Ｌの外側に、ドラム２１を回転させる操作ノブ３１を露出させ、オープンガイド２５の左側に取り付けたノブカバー３２により当該操作ノブ３１の外側を覆うようにした。
【０１１２】
従って一時保留部１１５は、オープンガイド２５が閉塞状態にあるとき、カバー部１３２Ａによって操作ノブ３１を左側から完全に覆った被覆状態とすることにより、当該操作ノブ３１に対する操作を抑制することができる。
【０１１３】
また一時保留部１１５は、オープンガイド２５が閉塞状態ではないとき、カバー部１３２Ａを操作ノブ３１の左側から完全に退避させて露出状態とすることにより、保守作業者による操作ノブ３１に対する操作、すなわち手動によるドラム２１の回転を許容することができる。
【０１１４】
特に一時保留部１１５は、従来の一時保留部と比較して、フレーム１２０の左側面１２０Ｌに切欠部１２０ＬＸを形成すると共にオープンガイド２５にノブカバー１３２を取り付けるだけで構成でき、大幅な設計変更や大幅な部品点数の増加を招くこともない。
【０１１５】
その他の点についても、第２の実施の形態による一時保留部１１５は、第１の実施の形態による一時保留部１５と同様の作用効果を奏し得る。
【０１１６】
以上の構成によれば、第２の実施の形態による一時保留部１１５は、ドラム２１を回転させる操作ノブ３１を左側面２０Ｌの外側に露出させ、オープンガイド２５の左側に取り付けたノブカバー１３２のカバー部１３２Ａを当該操作ノブ３１の外側に位置させるようにした。これにより一時保留部１１５は、オープンガイド２５が閉塞状態にありドラム２１の上側が閉塞されているときには、ノブカバー１３２を被覆状態として操作ノブ３１に対する操作を禁止し、紙幣の詰まり度合いを悪化させることを未然に防止できる。また一時保留部１１５は、オープンガイド２５が閉塞状態から開方向Ｔ１へ回動されると、ノブカバー１３２を露出状態とすることにより、引き剥がされた紙幣ＢＬの逃げ道を確保した上で、操作ノブ３１の操作によるドラム２１の手動回転を許容することができる。
【０１１７】
［３．他の実施の形態］
なお上述した第１の実施の形態においては、フレーム２０の左側面２０Ｌに対しノブカバー回動軸３３を中心にノブカバー３２を回動させるようにし、また第２の実施の形態においてはオープンガイド２５にノブカバー１３２を取り付けて当該オープンガイド２５と一体に回動するようにした場合について述べた。
【０１１８】
しかしながら本発明はこれに限らず、例えば回動中心が前後方向や上下方向を向いた回動軸を中心にノブカバーを回動させるようにしても良く、或いはオープンガイド２５の回動に伴ってノブカバーをフレーム２０の左側面２０Ｌに対し上下方向や前後方向に移動させるようにしても良い。要は、オープンガイド２５が閉塞状態にあるときにはノブカバーが被覆状態となり、当該オープンガイド２５が閉塞状態から開方向Ｔ１へ回動されると当該ノブカバーが露出状態となれば良い。
【０１１９】
また上述した第１の実施の形態においては、スプリング３５によりノブカバー３２を露出方向Ｕ１へ付勢するようにした場合について述べた。
【０１２０】
しかしながら本発明はこれに限らず、ノブカバー回動軸３３に対するノブカバー３２の重心の位置を調整することにより、当該ノブカバー３２が自重によって露出方向Ｕ１へ付勢するようにしても良く、或いは反対に被覆方向Ｕ２へ付勢するようにしても良く、さらにはいずれの方向にも付勢しないようにしても良い。
【０１２１】
さらに上述した第１の実施の形態においては、オープンガイド２５に何ら外力が加えられない場合、自重により閉方向Ｔ２へ回動するようにした場合について述べた。
【０１２２】
しかしながら本発明はこれに限らず、例えば回動軸２７にオープンガイド２５を開方向Ｔ１へ付勢するスプリングを組み込むと共にオープンガイドフレーム２４の所定箇所にオープンガイド２５を閉塞状態に維持するロック機構を取り付け、当該ロック機構のロックを解除することにより当該オープンガイド２５を自動的に開方向Ｔ１へ回動させるようにしても良い。第２の実施の形態についても同様である。
【０１２３】
さらに上述した第１の実施の形態においては、オープンガイドフレーム２４の後端付近に設けられた回動軸２７を回動中心として回動することにより、オープンガイド２５が閉塞状態と開放状態との間で遷移するようにした場合について述べた。
【０１２４】
しかしながら本発明はこれに限らず、例えばオープンガイドフレーム２４の前側や左右の両側に設けられた回動軸を中心にオープンガイド２５が回動するようにしても良く、或いは周知のリンク機構やスライド機構を介してオープンガイド２５を開閉させるようにしても良い。要は、オープンガイド２５を閉塞状態と開放状態との間で遷移させることができれば良い。またオープンガイド２５については、１枚の板状に限らず、開放時に２枚以上に分割されるようにしても良い。第２の実施の形態についても同様である。
【０１２５】
さらに上述した第１の実施の形態においては、フレーム２０の上面、すなわちドラム２１の上側に孔部２０Ｈを形成し、当該孔部２０Ｈを覆うように搬送ガイド２２を設けるようにした場合について述べた。
【０１２６】
しかしながら本発明はこれに限らず、例えばフレーム２０の前面や後面等、他の側面に孔部２０Ｈを形成し、当該孔部２０Ｈを覆うように搬送ガイド２２を設けるようにしても良い。この場合、例えば回動軸２３にスプリングを組み込むことにより搬送ガイド２２をドラム２１へ押し付けるようにしても良い。
【０１２７】
さらに上述した第１の実施の形態においては、フレーム２０の左側面２０Ｌよりも左側に操作ノブ３１を設けるようにした場合について述べた。
【０１２８】
しかしながら本発明はこれに限らず、例えばフレーム２０の左側面２０Ｌよりも右側に操作ノブ３１を埋没させるように設け、当該左側面２０Ｌに比較的大きな操作孔を穿設するようにしても良い。さらにこの場合、ノブカバー３２も左側面２０Ｌよりも右側に配置することにより、当該ノブカバー３２を操作孔のシャッタのように機能させても良い。
【０１２９】
さらに上述した第１の実施の形態においては、オープンガイド２５が閉塞状態及びこれに近い状態にあるときのみスタッド３４と当接し、開放状態及びこれに近い状態にあるときにはスタッド３４から離隔するようにした場合について述べた。
【０１３０】
しかしながら本発明はこれに限らず、オープンガイド２５が常にスタッド３４と当接するようにしても良く、さらにはスタッド３４に代えて周知のリンク機構やギア機構等を設けても良い。
【０１３１】
さらに上述した第１の実施の形態においては、ドラム２１の周側面に巻き付けられた媒体の量、すなわち当該ドラム２１の見かけ上の外径に応じて、搬送ガイド２２が回動軸２３を中心に回動するようにした場合について述べた。
【０１３２】
しかしながら本発明はこれに限らず、搬送ガイド２２がフレーム２０に対し固定されていても良い。第２の実施の形態についても同様である。
【０１３３】
さらに上述した第１の実施の形態においては、ノブカバー３２をオープンガイド２５の開閉と連動させ、当該オープンガイド２５が閉塞状態であればノブカバー３２を被覆状態として操作ノブ３１を覆うことによりドラム２１の手動回転を禁止するようにした場合について述べた。
【０１３４】
しかしながら本発明はこれに限らず、例えば操作ノブ３１の回転をロック又は解除する機構や操作ノブ３１とドラム２１とを連結又は解除する機構等のような種々の機構をオープンガイド２５の開閉と連動させることにより、当該オープンガイド２５が閉塞状態であるときにドラム２１の手動回転を禁止するようにしても良い。
【０１３５】
さらに上述した第１の実施の形態においては、金融機関等において顧客との間で現金に関する取引処理を行う現金自動預払機１に搭載する一時保留部１５に本発明を適用するようにした場合について述べた。
【０１３６】
しかしながらこれに限らず、例えば金融機関等の窓口において窓口担当の職員に使用される紙幣処理装置（いわゆるテラーマシン）等、紙幣を取り扱う種々の装置に搭載する一時保留部に本発明を適用するようにしても良い。さらには、媒体としての紙幣ＢＬを一時的に保留する一時保留部１５に限らず、例えば証券や金券等のような種々の紙葉状の媒体を一時的に保留する一時保留部に本発明を適用するようにしても良い。第２〜第４の実施の形態についても同様である。
【０１３７】
さらに上述した実施の形態においては、ドラムとしてのドラム２１と、フレームとしてのフレーム２０と、ガイドとしてのオープンガイド２５と、支持部としての回動軸２７と、操作ノブとしての操作ノブ３１と、ノブカバーとしてのノブカバー３２とによって媒体処理装置としての一時保留部１５を構成する場合について述べた。
【０１３８】
しかしながら本発明はこれに限らず、その他種々の構成でなるドラムと、フレームと、ガイドと、支持部と、操作ノブと、ノブカバーとによって媒体処理装置を構成するようにしても良い。
【０１３９】
さらに上述した実施の形態においては、搬送部としての搬送部１３と、ドラムとしてのドラム２１と、フレームとしてのフレーム２０と、ガイドとしてのオープンガイド２５と、支持部としての回動軸２７と、操作ノブとしての操作ノブ３１と、ノブカバーとしてのノブカバー３２とによって媒体取引装置としての現金自動預払機１を構成する場合について述べた。
【０１４０】
しかしながら本発明はこれに限らず、その他種々の構成でなる搬送部と、ドラムと、フレームと、ガイドと、支持部と、操作ノブと、ノブカバーとによって媒体取引装置を構成するようにしても良い。
【産業上の利用可能性】
【０１４１】
本発明は、紙葉状の媒体をドラムの周側面に巻き付けることにより収納する種々の装置でも利用できる。
【符号の説明】
【０１４２】
１、１０１……現金自動預払機、２……筐体、１０、１１０……紙幣入出金機、１０Ａ……上側ユニット、１３……搬送部、１５、１１５……一時保留部、２０……フレーム、２１……ドラム、２２……搬送ガイド、２３……回動軸、２４……オープンガイドフレーム、２４Ｈ……孔部、２５……オープンガイド、２７……回動軸、３１……操作ノブ、３２、１３２……ノブカバー、３３……ノブカバー回動軸、３４……スタッド、３５……スプリング、ＢＬ……紙幣。
【図１】
2014123221.tif 000003
【図２】
2014123221.tif 000004
【図３】
2014123221.tif 000005
【図４】
2014123221.tif 000006
【図５】
2014123221.tif 000007
【図６】
2014123221.tif 000008
【図７】
2014123221.tif 000009
【図８】
2014123221.tif 000010
【図９】
2014123221.tif 000011
【図１０】
2014123221.tif 000012
【図１１】
2014123221.tif 000013
【図１２】
2014123221.tif 000014